(57)【要約】【課題】  メガネフレーム等の一部をなす装飾体であって、宝石をキズ付けることなく自由な組み合わせで構成される装飾体の提供。【解決手段】  装飾体７は両側片と底部を有して一方には開口を形成した枠部９の収容空間１３には１個ないし複数個の宝石８，８・・を取付け、該宝石８はその縁を両側片の内側に形成した係合溝１５，１５に係合し、開口１４には宝石８が離脱しないようにピン１８を取付けて開口１４を閉じている。【選択図】    図１
0003124341.tif 000002
【実用新案登録請求の範囲】
【請求項１】
メガネフレーム等の一部を構成する装飾体において、該装飾体は両側片と底部を有して一方には開口を形成した枠部の収容空間には１個ないし複数個の宝石を取付けて構成し、該宝石はその縁を両側片の内側に形成した係合溝に係合し、開口には宝石が離脱しないようにネジピンや蓋部を取付けて該開口を閉じたことを特徴とするメガネフレーム等の装飾体。
【請求項２】
上記装飾体をメガネフレームのツルの一部として設けた請求項１記載の装飾体。
【請求項３】
上記装飾体を携帯電話機のストラップとして構成した請求項１記載の装飾体。
【考案の詳細な説明】
【技術分野】
【０００１】
本考案はメガネフレームのツル、ヨロイ、モダンなどに形成される装飾体に関するものである。ただし、本考案の装飾体はメガネフレームに限るものではない。
【背景技術】
【０００２】
メガネは視力が低下した人がこれを矯正の為に着用するものであるが、掛ける場所が顔であることから、色々な装飾が施されている。近年の金属製メガネフレームはチタン材など非常に軽くてバネ製に優れた材質が好まれ、長時間にわたってメガネを掛けていても疲れが少ないように工夫されている。しかし、このような材質が好まれる背景には、メガネフレームとしての単なる機能性だけでなくスリムなメガネフレームとして構成出来るといった外観的な満足度が得られる点も大きい。
【０００３】
このようにメガネフレーム自体がファッション性を備えて構成されることは勿論であるが、さらにカラーメッキや塗装したり、印刷を施したり、宝石等の装飾部品を取付ける等の工夫が凝らされている。実用新案登録第３０９９２１２号に係る「テンプル」は、模様などが描かれたシールを用いて装飾を施したものであり、テンプルに複雑で立体的な模様で装飾することが出来るとされている。
【０００４】
すなわち、メガネフレームのテンプル(ツル)に、デザインされたシールを貼着することにより、複雑な模様や立体的な模様の装飾を簡単に施すことが出来、そしてシールの上に透明又は半透明のカバーを設けることにより耐久性を得ることが出来る。
【０００５】
又、メガネフレームを装飾する手段として宝石を取付ける場合も多い。すなわち、宝石が持っている装飾効果をメガネフレームに適用することで、高級感を具現している。実用新案登録第３０８８２００号に係る「メガネフレームにおける装飾部品及びその取付け構造」は、メガネフレームのツルに宝石を備えた装飾部品を取付ける構造において、上記装飾部品は少なくともその一方端には３次元形状に湾曲したカギを有し、そして裏側中央部にはネジを突出し、上記装飾部品のベースをツルの表面に当接すると共にカギを内面側に係止し、該ネジをツルに形成した穴を貫通して裏側へ突出し、突出したネジ部にナットを螺合して固定した取付け構造としている。
【０００６】
上記取付け構造はカギとネジの組み合せによる取付けであり、ロウ付けのような熱は与えられないことから、装飾部品の宝石が熱によって変色することはない。従って、あらゆる宝石を備えた装飾部品を取付けすることが可能である。しかし、宝石を備えた装飾部品をツルに取付けて構成される為に、該装飾部品はメガネフレームと一体化されずあくまでも独立した装飾部品としての外観を呈す。
【０００７】
第３００１４７３号に係る「メガネフレームのツル」は、メガネフレームのツルにおいて、該ツルに芯部を設け、芯部にはコマを取着して回転可能とし、該コマの側面には色彩や模様を付したり、樹脂板を形成したり、宝石を付着する等し、また、コマが所定の向きにて静止するように上記芯部並びにコマの芯孔を多角形断面としている。
【特許文献１】実用新案登録第３０９９２１２号に係る「テンプル」
【特許文献２】実用新案登録第３０８８２００号に係る「メガネフレームにおける装飾部品及びその取付け構造」
【特許文献３】第３００１４７３号に係る「メガネフレームのツル」
【考案の開示】
【考案が解決しようとする課題】
【０００８】
このようにメガネフレームの装飾には色々な形態があり、宝石を取付けた装飾も数多く知られている。本考案は複数の宝石を簡単に取付けることが出来ると共に取外すことも可能であり、取付ける宝石の組み合わせを自由に行うことが出来る装飾体を提供する。本考案の装飾体は対象をメガネフレームに限定することなく、ネックレスやペンダントなど一般的な装飾体も対象としている。
【課題を解決するための手段】
【０００９】
本考案に係る装飾体は１個ないし複数の宝石を組み合わせて構成している。ここで、該宝石とはその材質を限定せず、ガラス玉や樹脂玉などで構成ずる場合もある。そして、該宝石を収容するための収容空間を形成した枠部を有し、該枠部は一定間隔をおいた両側片と底片を有し、収容空間の一方を開口している。枠部の両側片にはガイドが形成されていて、ガイドに沿って収容空間に嵌る。そして、収容した宝石が外れないように開口は閉じられる。すなわち、該開口にピンや蓋部を取付けて閉じる構造となっている。
【００１０】
ここで、宝石の形状は特に限定せず、正面形状が四角形、三角形、円形、その他の形状とする。又、宝石とはダイヤやエメラルドなどの真正なものを指す場合に限らず、一般的には宝石とは言われないガラス玉も対象とする。そして枠部の両側片に形成したガイドに所定形状の宝石の外縁が係合しているために、側片から離脱することはない。側片はストレートに延びている場合に限らず、円弧を成して湾曲した両側片を有す枠部とする場合もある。
【考案の効果】
【００１１】
本考案に係る装飾体は枠部に宝石を嵌めて構成している。該宝石は枠部の大きさに応じて１個ないし複数個が収容され、その装飾効果は大きい。そして、宝石は枠部の収容空間に嵌って取付けられ、一方の開口が閉じられた構造と成っており、該宝石に過度な外力が付加されることはなく、又取付けに際して加熱されることもなく、該宝石が欠けたりすることもない。そして、該装飾体は複数個の宝石を自由に選択して枠部の収容空間に嵌めることが出来るために、自分の好みに応じた装飾部品を購入に際して作ることが可能となる。
【実施例】
【００１２】
図１はメガネフレーム１の側面図を示し、該メガネフレーム１のツル２には装飾体が備わっている。同図のメガネフレーム１は金属製であり、フロント部３の両側にはツル２，２が折畳み出来るように取付けられている。そしてフロント部３のリム４にはレンズ５が嵌っており、ツル２の先端部には樹脂製で概略「へ字状」のモダン６が挿着されている。
【００１３】
ところで、ツル２のフロント部側には本考案の装飾体７が設けられている。すなわち、ツル２の一部に装飾体７を構成し、メガネフレーム１の高級感をもたらしている。装飾体７は複数の宝石８，８・・を取付け、宝石８，８・・は枠部に形成した収容空間に嵌っている。
【００１４】
図２は宝石８，８・・を収容して取付ける枠部９を表しているが、該枠部９は上側片１０と下側片１１及び底片１２を有して細長く延びる概略コ形を成し、内部は収容空間１３と成っている。そして、一方には宝石８，８・・を出し入れすることが出来る開口１４を設けている。ツル２の一部として形成している枠部９は同図に示しているように段差を設けている為に、上記収容空間１３には宝石８を嵌めることが出来る開口１４が形成される。
【００１５】
図３は図２のＡ−Ａ断面を表しているように、上側片１０及び下側片１１の内側には係合溝１５，１５が沿設され、この係合溝１５，１５に宝石８の外縁が係合して取付けられる。図４には宝石８を単独で表しているように、該宝石８は背後へ突出してピラミット形状と成っているが、その上側及び下側には上外縁１６と下外縁１７を突出しており、これら上下外縁１６，１７が上下側片１０，１１に設けている係合溝１５，１５に係合することが出来る。すなわち、宝石８は上外縁１６及び下外縁１７が係合溝１５，１５に嵌って取付けられる。そして、この宝石８は開口１４から挿入されて係合溝１５，１５に係合する。
【００１６】
図１に示す実施例では細長い収容空間１３に複数個の宝石８，８・・が収容され、又開口１４から外れないようにピン１８が取付けられて該開口１４を閉じている。図２に示すように上側片１０と下側片１１には該ピン１８が嵌るピン穴１９が設けられている。図５は別形態の装飾体７を備えたメガネフレーム１を示している。この装飾体７に用いられる宝石８，８・・はその形状が違っている。又、図６も別形態の装飾体７を備えたメガネフレーム１を示している。このように、枠部９の収容空間１３に収容される宝石８の形状及びその個数は自由であり、角形の宝石８に限らず球状の宝石８を収容して取付けることも出来る。
【００１７】
図７は携帯電話機のストラップ２０を表している。該ストラップ２０には装飾体２１が取付けられてストラップ２０の装飾効果を高めている。該装飾体２１もメガネフレーム１に備えた前記装飾体７と基本的構造は共通している。すなわち、枠部２２は底片２４と両側片２３，２３からなる概略コ形を成し、内部の収容空間には複数の宝石２５，２５・・が取付けられている。そして、概略コ形枠部２２の上側開口には蓋部２６が嵌ってネジ止めされ、該蓋部２６に形成しているリング２７は紐２８の下端に設けているリング２９と連結している。
【００１８】
図８に示す携帯電話機のストラップ２０は枠部２２の形態が多少異なり、両側片２３，２３の間に中片３０を設けている。従って、枠部２２には中片３０にて仕切られた収容空間が対を成して形成され、これら両収容空間には宝石２５，２５・・が取付けられている。そして、上部開口には蓋部２６がネジ止めされ、紐２８と連結している。
【００１９】
図９はさらに別形態のストラップ２０を表している。そして、このストラップ２０には２個の装飾体２１ａ，２１ｂが連結して構成され、装飾体２１ａは湾曲した枠部２２ａに球状をした複数個の宝石２５ａ，２５ａ・・が遊嵌している。一方の装飾体２１ｂは湾曲した枠部２２ｂに球状をした複数個の宝石２５ｂ，２５ｂ・・が遊嵌している。枠部２２ａ，２２ｂの収容空間に遊嵌している宝石２５ａ，２５ａ・・２５ｂ，２５ｂ・・は自由に移動することが出来る空間を残している。そして、両枠部２２ａ，２２ｂは連結ネジピン３１にて連結され、この連結ネジピン３１にて枠部２２ａ，２２ｂの開口が閉じている。
【００２０】
図１０はストラップ２０の更なる別形態を表している。このストラップ２０は５個の装飾体２１ａ，２１ｂ，２１ｃ・・にて構成され、これら各装飾体２１ａ，２１ｂ，２１ｃ・・はネジピン３２，３２・・にて連結している。そして、装飾体２１ａ，２１ｂ，２１ｃ・・は枠部２２ａ，２２ｂ，２２ｃ・・に１個の宝石２５ａ，２５ｂ，１５ｃ・・を嵌めている。
【００２１】
図１１に示すストラップ２０の場合、装飾体２１を構成する枠部２２には十字形の宝石２５が嵌っている。そして、枠部２２の下側には別の宝石が連結して吊り下がっている。枠部２２の収容空間の上部には蓋部２６が取付けられて、宝石２５が外れないように成っている。
【００２２】
図１２のストラップ２０はハート形の枠部２２に球状の宝石２５，２５・・が取付けられている。枠部２２には細長い内枠３３を設け、この内枠３３にて形成される収容空間に宝石２５，２５・・が取付けられている。
【図面の簡単な説明】
【００２３】
【図１】装飾体を備えたメガネフレーム。
【図２】装飾体を構成する枠部。
【図３】図２のＡ−Ａ断面拡大図。
【図４】枠部の収容空間に嵌る宝石の具体例。
【図５】装飾体を備えたメガネフレーム。
【図６】装飾体を備えたメガネフレーム。
【図７】装飾体を備えた携帯電話機用のストラップ。
【図８】装飾体を備えた携帯電話機用のストラップ。
【図９】装飾体を備えた携帯電話機用のストラップ。
【図１０】装飾体を備えた携帯電話機用のストラップ。
【図１１】装飾体を備えた携帯電話機用のストラップ。
【図１２】装飾体を備えた携帯電話機用のストラップ。
【符号の説明】
【００２４】
１  メガネフレーム
２  ツル
３  フロント部
４  リム
５  レンズ
６  モダン
７  装飾体
８  宝石
９  枠部
13  収容空間
14  開口
15  係合溝
20  ストラップ
21  装飾体
22  枠部
25  宝石
26  蓋部
【図１】
0003124341.tif 000003
【図２】
0003124341.tif 000004
【図３】
0003124341.tif 000005
【図４】
0003124341.tif 000006
【図５】
0003124341.tif 000007
【図６】
0003124341.tif 000008
【図７】
0003124341.tif 000009
【図８】
0003124341.tif 000010
【図９】
0003124341.tif 000011
【図１０】
0003124341.tif 000012
【図１１】
0003124341.tif 000013
【図１２】
0003124341.tif 000014
【手続補正書】
【提出日】平成18年6月1日(2006.6.1)
【手続補正１】
【補正対象書類名】実用新案登録請求の範囲
【補正対象項目名】全文
【補正方法】変更
【補正の内容】
【実用新案登録請求の範囲】
【請求項１】
メガネフレームの一部を構成する装飾体において、該装飾体は両側片と底部を有して一方には開口を形成した枠部の収容空間には１個ないし複数個の宝石を取付けて構成し、該宝石はその縁を両側片の内側に形成した係合溝に係合し、開口には宝石は離脱しないようにネジピンや蓋部を取付けて該開口を閉じたことを特徴とするメガネフレームの装飾体。
【請求項２】
上記装飾体を携帯電話機のストラップとして構成した請求項１記載の装飾体。
【請求項３】
上記装飾体をネックレスとして構成した請求項１記載の装飾体。
【請求項４】
上記装飾体をペンダントとして構成した請求項１記載の装飾体。
【請求項５】
上記装飾体をブローチとして構成した請求項１記載の装飾体。